(57)【特許請求の範囲】
【請求項１】
先端側に固定接点が設けられると共に基端側に電源側端子を有する固定接点板と、
先端側に前記固定接点に接離される可動接点を有すると共に基端側が負荷側端子に接続される可動アームと、
前記電源側端子と負荷側端子との間に異常電流が流れたときに前記可動アームを開離方向に移動させて接点を開放するトリップ装置と、
前記固定接点板の両側を挟むように設けられた両側板間に、複数枚のグリッド板を前記可動接点の移動方向に多段に配置してなる消弧装置と、
前記可動アームの先端部に対応して前記両側板の外側に位置して前記可動接点の接離方向に夫々延びる一対の腕部及びそれら腕部を連結する連結部を一体に有し、前記両接点間に発生するアークを前記消弧装置に向けて付勢する駆動コイルとを具備し、
前記固定接点板と前記電源側端子と前記駆動コイルとは夫々別体に構成されていると共に、前記固定接点板と電源側端子とが前記駆動コイルを介して結合されており、
前記消弧装置の両側板間の寸法は、前記駆動コイルの上部に配置される部分が駆動コイルの内側に配置される部分よりも幅広とされていることを特徴とする回路遮断器。
【請求項２】
前記駆動コイルの腕部の先端部の位置は、前記可動アームの全開離時の開離寸法のほぼ半分の位置とされていることを特徴とする請求項１記載の回路遮断器。
【請求項３】
前記固定接点と前記グリッド板先端部との間の距離が、前記駆動コイルの一対の腕部間の距離の１／２以上とされていることを特徴とする請求項１又は２記載の回路遮断器。
【請求項４】
前記駆動コイルの外側に、磁性材製の板を配設したことを特徴とする請求項１ないし３のいずれかに記載の回路遮断器。
【発明の詳細な説明】
【０００１】
【発明の属する技術分野】
本発明は、遮断時に両接点間に発生するアークを消弧装置に向けて駆動する駆動コイルを備えた回路遮断器に関する。
【０００２】
【従来の技術】
この種の従来の回路遮断器の要部の基本的構成（第１の従来例）を図１６に示す。図示しないケース内に固定的に設けられる固定接点板１の一端部には、固定接点２が設けられ、一方、基端側を支点として上下方向に揺動可能な可動アーム３の先端部には、前記固定接点２に接離する可動接点４が設けられている。前記固定接点板１は、基端側に電源側端子５を一体に有して構成され、また、図示はしないが、前記可動アーム３の基端部は、トリップ装置を介して負荷側端子に接続されている。
【０００３】
これにて、電源側端子５と負荷側端子との間の電路に短絡電流等の異常電流が流れたときには、トリップ装置により可動アーム３が上方に移動され、可動接点４を固定接点２から引離して接点を開放するようになっている。そして、このとき、接点２，４間に発生したアークは、接点部分を挟むように設けられた両側板６ａ（一方のみ図示）間に複数枚のグリッド板６ｂを上下に多段に掛渡した消弧装置６によって分断されて消弧されるようになっている。前記各グリッド板６ｂには、前記固定接点板１及び前記可動アーム３の移動軌跡に対応して切欠部が形成されている。
【０００４】
さらに、前記消弧装置６の外側には、駆動コイル７が、前記固定接点板１と電源側端子５との間に位置して一体に設けられている。この駆動コイル７は、前記両側板６ａの外面側に位置する逆Ｕ字状の腕部７ａをその下端部で連結して構成されている。これにて、駆動コイル７に流れる電流により生ずる磁界と、接点間に発生するアークとの相互作用（ローレンツ力）により、アークを消弧装置６に向けて駆動し、もってアークが速やかに引延ばされて消弧されるようになるのである。
【０００５】
【発明が解決しようとする課題】
ところで、近年では、この種の回路遮断器にあって、特に高さ方向の寸法の小形化が求められてきており、上記した接点部分や駆動コイル７、消弧装置６部分における多種の小形化の試みがなされてきている。また、この小形化の要望に伴い、遮断性能のより一層の向上が求められ、これに対してもいくつかの試みがなされてきている。
【０００６】
このような試みとして、固定接点板１、駆動コイル７及び電源側端子５の構成（以下、これら三者を一体化したものを固定接触子と称する）について、特開昭６２−１２３６２６号公報（第２の従来例と称する）や、特開平３−２５８１１号公報（第３の従来例と称する）では、次のような工夫がなされている。
【０００７】
即ち、図１７及び図１８は第２の従来例を示し、ここでは、図１７に示すような孔部８ａが形成された横長矩形状の金属板材８を、図で破線の部位にて折曲げ、図１８に示すように、固定接点板１、駆動コイル７及び電源側端子５を一体に有する固定接触子９を形成するものである。この場合、駆動コイル７は、金属板材８を長手方向に縮めるようにしながら逆Ｕ字状に湾曲させて形成されるようになっている。これによれば、材料歩留まりを良好とすることができる。
【０００８】
ところが、この構成では、定格電流が例えば２２５ＡＦ以上の大型機種に適用するには、固定接点板１及び駆動コイル７の通電断面積を確保するために、固定接点板１及び駆動コイル７の幅を大きくとらねばならず、固定接触子９の幅方向の大形化を招いてしまい、ひいては全体の幅方向の大形化を招いてしまう欠点がある。通電断面積を大きくするために金属板材８の厚みを大きくすることも考えられるが、これでは、固定接触子９が高さ方向に大形化すると共に、折曲成形の作業性が悪化してしまう。
【０００９】
また、図１９及び図２０は、第３の従来例を示し、ここでは、図１９に示すように、駆動コイル７を左右両側方に展開した如き金属板材１０を形成し、上方に立上げるように折曲げて固定接触子１１（図２０）を形成するものである。これによれば、定格電流が２２５ＡＦ以上の大型機種に適用するにあたっても、全体の幅寸法を大きくすることなく、駆動コイル７の幅寸法を大きくすることが可能となる。ところが、駆動コイル７の幅寸法を大きくすると、金属板材１０における側方への張出量が大きくなり、材料歩留まりの悪化を招いてしまう。また、駆動コイル７の厚み寸法を大きくすると、折曲成形が困難となってしまう。
【００１０】
次に、遮断性能の向上を図る試みとして、特開昭６２−１６３２３４号公報（第４の従来例と称する）に、図２１に示す構成が開示されている。このものでは、駆動コイル７の高さ位置を、可動アーム３の全開離時の可動接点４の位置と同等あるいはやや上方に設定することにより、アークを高速で消弧装置６側に移行させるようにしている。しかしながら、この構成では、可動接点４の固定接点２からの離間距離が短く、初期アークの長さを大きくとることができないため、十分な遮断性能の向上を図るには至っていなかった。
【００１１】
さらに、駆動コイルと消弧装置との配置構成の改善について、特開昭６２−１２３６２７号公報（第５の従来例）では、図２２〜図２４に示す構成が開示されている。これらのものでは、駆動コイル７を消弧装置６の側板６ａの内側に配置すると共に、駆動コイル７の側方にはグリッド板６ｂを設けないようにしている。これにより、固定接点２と駆動コイル７との間の幅方向の距離を小さくすることができて全体の幅寸法の小形化を図ることができる。ところが、この構成では、消弧装置６を電源側端子５側に配置しなければならず、装置の長さ方向（図で左右方向）の大形化を招いてしまう欠点がある。
【００１２】
また、駆動コイル７の磁気駆動力を向上させる方法として、特開昭６２−１２３６２９号公報（第６の従来例）や、特開昭６３−１０２１３６号公報（第７の従来例）に示された構成が考えられている。即ち、図２５〜図３２は、第６の従来例を示し、このうち図２５及び図２６の構成では、逆Ｕ字状をなす左右の駆動コイル７の内部に嵌め込まれ固定接点２を挟むように位置される一対の嵌合部１２ａとそれらを下端部でつなぐ連結部１２ｂとを一体に有する磁性材製のヨーク１２を設けるようにしている。これによれば、発生する磁束を固定接点２の近傍に集中させることができ、アークの磁気駆動性能を高めることができるものである。
【００１３】
さらに、図２７〜図２９には、変形例としてヨーク１３をグリッド板６ｂに一体に形成するようにした構成が示され、図３０〜図３２にも、異なる変形例としてヨーク１４をグリッド板６ｂに一体に形成するようにした構成が示されている。しかしながら、これらのようなヨーク１２〜１４を設ける構成では、構造が複雑となると共に、絶縁性を確保することが難しくなる欠点がある。
【００１４】
また、図３３は、第７の従来例を示しており、ここでは、コ字状をなす磁性材製のヨーク１５を、両駆動コイル７の上端部に跨がるように設けるようにしたものである。ところが、この構成では、アークの磁気駆動性能を高めることができるものの、高さ方向の大形化を招いてしまう欠点がある。
【００１５】
本発明は、上記事情に鑑みてなされたもので、その第１の目的は、固定接点板と電源側端子との間に駆動コイルを設けたものにあって、駆動コイルの幅方向の小形化を図ることができると共に、材料歩留まりを向上させることができる回路遮断器を提供するにある。また、本発明の第２の目的は、上記第１の目的に加えて遮断性能の向上を図ることができる回路遮断器を提供するにある。
【００１６】
【課題を解決するための手段】
本発明の請求項１の回路遮断器は、固定接点板と電源側端子との間に駆動コイルを設けたものにあって、前記固定接点板と前記電源側端子と前記駆動コイルとを夫々別体に構成すると共に、前記固定接点板と電源側端子とを駆動コイルを介して結合するようにした構成に特徴を有するものである。これによれば、駆動コイルの板厚や幅寸法を、固定接点板や電源側端子の板厚等に関係なく自在に設定することができる。
また、前記消弧装置の両側板間の寸法を、前記駆動コイルの上部に配置される部分が駆動コイルの内側に配置される部分よりも幅広となるように構成したので、消弧装置の駆動コイルの内側に配置される部分の幅寸法を小さく抑えることができ、また、駆動コイルの上部に位置する部分ではグリッド板の幅寸法を大きくとることができる。
【００１７】
この場合、前記駆動コイルの腕部の先端部の位置を、前記可動アームの全開離時の開離寸法のほぼ半分の位置とするように構成しても良い（請求項２の発明）。これによれば、アークの発生初期において、固定接点部分に駆動コイルの磁界を集中させることができる。
【００１９】
さらに、前記固定接点と前記グリッド板先端部との間の距離を、前記駆動コイルの一対の腕部間の距離の１／２以上とすることもできる（請求項３の発明）。これによれば、駆動コイルの磁界がグリッド板に支配されなくなり、アークをグリッド板の方向に駆動する磁束を有効にアークに作用させることができる。
そして、前記駆動コイルの外側に、磁性材製の板を配設する構成としても良い（請求項４の発明）。これによれば、駆動コイルの磁気駆動力の効果を向上させることができる。
【００２０】
【発明の実施の形態】
以下、本発明のいくつかの実施例について、図１ないし図１５を参照しながら説明する。
【００２１】
（１）第１の実施例
図１ないし図８は、本発明の第１の実施例（請求項１に対応）を示すものである。
【００２２】
まず、詳しく図示はしないが、本実施例にかかる回路遮断器の全体構成について簡単に述べる。この回路遮断器は、絶縁材製のケース内の例えば左端部に消弧室を有し、その消弧室内に固定接触子２１及び消弧装置５１を配設して構成されている。また、前記ケース内（消弧室の右側）には、可動アーム２３や図示しないトリップ装置、操作ハンドル等が設けられている。
【００２３】
詳しくは後述するが、図１，図３及び図５に示すように、前記固定接触子２１は、ケースの外面部に露出される電源側端子２４、駆動コイル２５、固定接点板２６を結合して構成され、前記固定接点板２６の上面に固定接点２７が設けられている。一方、前記可動アーム２３は、その基端側（図５で右端側）を支点として揺動可能に設けられ、その先端部に前記固定接点２７に接離する可動接点２８を有して構成されている。このとき、可動アーム２３の先端側は、消弧室の壁を貫通して消弧室内に配置されるようになっている。
【００２４】
また、前記トリップ装置は、周知のように過電流引外し装置やトグルリンク機構部等を備えて構成され、前記可動アーム２３の基端部は、前記過電流引外し装置を介してケースの外面に露出する負荷側端子に電気的に接続されている。前記トグルリンク機構部は、可動アーム２３に機械的に接続されており、また前記操作ハンドルにも連結されている。これにて、主回路（前記電源側端子２４と負荷側端子との間）に異常電流が流れると、過電流引外し装置がそれを検出してトグルリンク機構部を作動させ、可動アーム２３が開離方向に移動されて接点が開放されるようになっているのである。尚、回路の閉成時には、可動アーム２３は図示しないばねにより下方に付勢され、可動接点２８が固定接点２７に圧接するようになっている。
【００２５】
そして、前記消弧装置５１は、次のように構成されている。即ち、図８ないし図１０に示すように、この消弧装置５１は、従来例で述べた消弧装置６を上下２分割した如き構成の下部分割体５２と上部分割体５３とを組合せて構成されている。
前記下部分割体５２は、前記駆動コイル２５の両腕部２５ａ（後述）の内側に位置して前記接点部（固定接点２７及び可動接点２８）の両側を挟むように設けられ、前記腕部２５よりもやや上方に位置する高さ寸法の絶縁材製の側板５４，５４間に、絶縁材製の複数枚のグリッド板５５を上下に多段に掛渡すように設けて構成される。一方、前記上部分割体５３は、前記駆動コイル２５の幅寸法とほぼ同等の間隔で位置される絶縁材製の両側板５６，５６間に、絶縁材製の複数枚のグリッド板５７を設けて構成されている。従って、グリッド板５７は、グリッド板５５に比べて幅寸法がやや大きく構成されている。
前記上部分割体５３は、その両側板５６が夫々下部分割体５２の両側板５４の外面側上部にラップし、且つ、両側板５６が駆動コイル２５の上部に乗っかるようにして下部分割体４４の上部に設けられ、もって消弧装置５１が構成されるようになっている。尚、前記各グリッド板５５，５７には、前記可動アーム２３の先端部の移動空間を確保するように、上面から見てほぼＵ字状の切欠部５５ａ，５７ａが形成されている。
【００２６】
さて、前記固定接触子２１について述べる。上述のように、この固定接触子２１は、電源側端子２４、駆動コイル２５、固定接点板２６を備えてなるのであるが、本実施例では、それら電源側端子２４，駆動コイル２５及び固定接点板２６は、夫々所要の厚み寸法を有する別の金属板材３１，３２及び３３（図２参照）から打抜かれて別体に構成されている。
【００２７】
このうち電源側端子２４は、図２（ａ）に示すように、金属板材３１から基端側をやや幅狭とした矩形板状に打抜かれた後、図３にも示すように、いわゆる稲妻形に折曲げられて構成されている。尚、この電源側端子２４の先端側には、接続用のねじ孔２４ａが形成されている。
【００２８】
前記駆動コイル２５は、図２（ｂ）に示すように、金属板材３２から横長な円環状に打抜かれた後、長手方向両端部分を上方にほぼ直角に立上げるように折曲げることにより形成されている。これにて、駆動コイル２５は、逆Ｕ字状をなして上方に立上がる左右一対の腕部２５ａと、それら腕部２５ａを下端部にてつなぐ２本の連結部２５ｂとを一体に有した形態とされている。また、前記固定接点板２６は、図２（ｃ）に示すように、金属板材３３から小形の矩形板状に打抜かれた後、図５に示すように折曲げられて構成されている。この固定接点板２６の先端部の上面に固定接点２７が固着されている。
【００２９】
そして、図３等に示すように、前記電源側端子２４は、その基端部が前記駆動コイル２５の一方（図で左側）の連結部２５ｂの上面部に例えばろう付けや溶接等により固着され、前記固定接点板２６は、その基端部が前記駆動コイル２５の他方の連結部２５ｂの上面部に固着されている。これにて、固定接点板２６と電源側端子２４とが駆動コイル２５を介して結合され、もって固定接触子２１が構成されているのである。
【００３０】
この可動接触子２１のケース内への組付け状態では、図１，図８に示すように、駆動コイル２５の左右の腕部２５ａが、前記消弧装置５１の下部分割体５２の両側板５４の外側に位置されている。尚、このとき、前記固定接点２７は、前記駆動コイル２５の中央部に位置されるようになっている。
【００３１】
上記構成において、接点の閉成状態（図５（ａ）参照）から主回路に短絡電流等の過電流が流れると、上述のようにトリップ装置により可動アーム２３が上方に移動されて接点が開放し、図４及び図５（ｂ）に示すように、可動接点２８の開離に伴い、固定接点２７と可動接点２８との間にアークＡが発生する。このとき、駆動コイル２５を流れる電流により、駆動コイル２５の回りに図４に示すような磁界Ｂが生ずる。
【００３２】
そして、開離した可動接点２８（可動アーム２３）は、磁気反発力により全開離位置まで移動し、このとき、発生したアークＡは、前記磁界Ｂとの相互作用であるローレンツ力により、消弧装置５１のグリッド板５５，５７に向けて付勢される。これにより、アークＡは、図５（ｃ）に示すように、グリッド板５５，５７により急激に引延ばされ、分割されて速やかに消弧されるのである。
【００３３】
しかして、上記構成において、定格電流が例えば２２５ＡＦ以上の大型機種に適用する場合、固定接点板２６及び駆動コイル２５の大きな通電断面積を確保する必要がある。この場合、上述した第２の従来例（図１７，１８参照）では、固定接触子９の幅方向の大形化を招いてしまい、また、第３の従来例（図１９，２０参照）では、材料歩留まりの悪化を招いてしまう欠点があった。
【００３４】
ところが、本実施例においては、電源側端子２４、駆動コイル２５、固定接点板２６を夫々別部材から構成したので、電源側端子２４、駆動コイル２５、固定接点板２６の板厚や幅寸法を、独立して自在に設定することができる。具体的には、駆動コイル２５においては、リング幅を大きくすることによって、厚みを大きくしなくとも大きな通電断面積を確保することができ、また、固定接点板２７においては、厚みを大きくすることによって幅を大きくしなくとも、大きな通電断面積を確保することができる。
【００３５】
従って、上記第２の従来例と異なり、幅方向の大形化を招くことを防止することができるものである。一方、図２に示したように、電源側端子２４，駆動コイル２５，固定接点板２６は、それぞれ金属板材３１，３２，３３から相互間を詰めた状態で密に打抜くことができるので、第３の従来例と異なり、材料歩留まりを良好とすることができるものである。電源側端子２４及び駆動コイル２５は、さほど厚みを大きくしなくとも良いので、折曲加工性にも優れるものである。
【００３６】
この結果、本実施例によれば、固定接点板２６と電源側端子２４との間に駆動コイル２５を設けたものにあって、駆動コイル２５の幅方向の小形化を図ることができると共に、材料歩留まりを向上させることができるという優れた実用的効果を得ることができるものである。
しかも、本実施例では、消弧装置５１を、下部分割体５２とそれより幅広の上部分割体５３とを組合せて構成したので、消弧装置５１のうち駆動コイル２５の内側に配置される下部分割体５２の幅寸法（ひいては駆動コイル２５の幅寸法）を小さく抑えることができて、全体の幅方向の大形化を未然に防止しつつも、駆動コイル２５の上部に位置される上部分割体５３においては、駆動コイル２５と同等の幅寸法とすることができ、グリッド板５７の幅寸法を大きくとることができる。この結果、消弧装置５１全体としての冷却効果を高くすることができ、遮断性能の向上を図ることができるものである。
【００３７】
（２）第２の実施例
次に、図９及び図１０を参照して本発明の第２の実施例（請求項１，２に対応）について述べる。この実施例が上記第１の実施例と異なる点は、駆動コイル４１の腕部４１ａの先端部の高さ位置を、可動アーム２３の全開離時の開離寸法のほぼ半分の位置としたところにある。この実施例においても、駆動コイル４１は、一対の腕部４１ａを連結部４１ｂにより一体に連結した構成とされている。
【００３８】
かかる構成においては、可動アーム２３（可動接点２８）の開離初期の段階で、固定接点２７の近傍部分に発生しているアークＡが駆動コイル４１によって付勢されてグリッド板５５，５７の方向へ移行されるようになる。この場合、開離初期においてはアークＡが固定接点２７の近傍に発生するため、駆動コイル４１を固定接点の近傍に配置することにより、速やかに効率良くアークＡを移行させることができるのである。駆動コイル４１の高さ寸法を小さく済ませ得ることは勿論である。
【００４３】
（３）第３の実施例
図１１ないし図１３は、本発明の第３の実施例（請求項１〜３に対応）を示すものである。この実施例では、固定接点２７とグリッド板５５の先端部との間の距離Ｍ（図１２参照）が、駆動コイル４１の両腕部４１ａ間の距離Ｌ（図１１参照）の１／２以上となるように、固定接点２７近傍のグリッド板５５を図で左方に離間して配置するようにしている。
【００４４】
ここで、図１３には遮断時に駆動コイル４１の両腕部４１ａ間に生ずる磁束Ｃとアークによる磁束Ｄとの関係を示しており、図１３（ｂ）に示すように、グリッド板５５と固定接点２７との間の距離が短い（２Ｍ＜Ｌ）場合には、駆動コイル４１の両腕部４１ａ間に生ずる磁束Ｃが、磁性体であるグリッド板５５を通るようになり、アークＡの駆動に寄与しにくくなってしまう。これに対し、本実施例では、図１３（ａ）に示すように、グリッド板５５と固定接点２７との間の距離を長くしたので、駆動コイル４１の両腕部４１ａ間に生ずる磁束Ｃを、グリッド板５５の影響をさほど受けずにアークＡに有効に作用させることができる。この結果、本実施例によれば、遮断性能の一層の向上を図ることができるものである。
【００４５】
（４）第４の実施例
最後に、図１４及び図１５は、本発明の第４の実施例（請求項１〜４に対応）を示している。本実施例では、上記第３の実施例の構成に加えて、駆動コイル４１の両腕部４１ａの外側に位置して夫々磁性材製の板６１（磁性板６１と称する）を設けるようにしている。
【００４６】
かかる構成によれば、駆動コイル４１に生ずる磁束が磁性板６１を通るようになり、磁束の分散を防止することができる。従って、固定接点２７の近傍に磁束を集中させることができ、アークＡに強い磁界を作用させることができる。また、磁性板６１により、相間の磁気遮蔽効果も得ることができる。この結果、本実施例によれば、遮断性能のより一層の向上を図ることができるものである。
【００４７】
【発明の効果】
以上の説明にて明らかなように、本発明によれば、次のような優れた効果を奏する。
即ち、請求項１の回路遮断器によれば、固定接点板と電源側端子との間に駆動コイルを設けたものにあって、前記固定接点板と前記電源側端子と前記駆動コイルとを夫々別体に構成すると共に、前記固定接点板と電源側端子とを駆動コイルを介して結合するようにし、更に前記消弧装置の両側板間の寸法を、前記駆動コイルの上部に配置される部分が駆動コイルの内側に配置される部分よりも幅広となるように構成したので、駆動コイルの板厚や幅寸法を、固定接点板や電源側端子の板厚等に関係なく自在に設定することができ、駆動コイルの幅方向の小形化を図ることができると共に、材料歩留まりを向上させることができ、しかも、消弧装置の駆動コイルの内側に配置される部分の幅寸法を小さく抑えながらも、駆動コイルの上部に位置する部分ではグリッド板の幅寸法を大きくとることができ、小形化の要求に応えながら遮断性能の向上を図ることができるものである。
【００４８】
この場合、前記駆動コイルの腕部の先端部の位置を、前記可動アームの全開離時の開離寸法のほぼ半分の位置とするように構成すれば（請求項２の回路遮断器）、アークの発生初期において固定接点部分に駆動コイルの磁界を集中させることができて遮断性能の向上を図ることができる。
【００５０】
さらに、前記固定接点と前記グリッド板先端部との間の距離を、前記駆動コイルの一対の腕部間の距離の１／２以上とする構成とすれば（請求項３の回路遮断器）、駆動コイルの磁界がグリッド板に支配されなくなり、アークをグリッド板の方向に駆動する駆動コイルからの磁束を有効にアークに作用させることができて遮断性能の一層の向上を図ることができる。
【００５１】
そして、前記駆動コイルの外側に、磁性材製の板を配設する構成とすれば（請求項４の回路遮断器）、駆動コイルの磁気駆動力の効果を向上させることができ、遮断性能のより一層の向上を図ることができるものである。
【図面の簡単な説明】
【図１】  本発明の第１の実施例を示すもので、消弧装置の一部を省略した要部の斜視図
【図２】電源側端子（ａ）、駆動コイル（ｂ）、固定接点板（ｃ）の金属板材からの打抜きの様子を示す平面図
【図３】固定接触子の斜視図
【図４】駆動コイルによる磁界の様子を示す縦断正面図
【図５】遮断時のアークの駆動の様子を順に示す要部の側面図
【図６】  要部の平面図
【図７】要部の側面図
【図８】  要部の斜視図
【図９】  本発明の第２の実施例を示す要部の平面図
【図１０】要部の側面図
【図１１】  本発明の第３の実施例を示す要部の平面図
【図１２】要部の側面図
【図１３】駆動コイルによる磁束の様子を参考例（ｂ）と共に示す横断平面図
【図１４】  本発明の第４の実施例を示す要部の平面図
【図１５】要部の側面図
【図１６】第１の従来例を示す要部の斜視図
【図１７】第２の従来例を示す固定接触子の展開図
【図１８】固定接触子の斜視図
【図１９】第３の従来例を示す固定接触子の展開図
【図２０】固定接触子の斜視図
【図２１】第４の従来例を示す要部の縦断側面図
【図２２】第５の従来例を示す要部の縦断側面図
【図２３】要部の縦断側面図
【図２４】要部の縦断側面図
【図２５】第６の従来例を示す要部の縦断側面図
【図２６】要部の分解斜視図
【図２７】要部の縦断側面図
【図２８】要部の斜視図
【図２９】要部の平面図
【図３０】要部の縦断側面図
【図３１】要部の斜視図
【図３２】要部の平面図
【図３３】第７の従来例を示す要部の斜視図
【符号の説明】
図面中、２１は可動接触子、２２，５１は消弧装置、２３は可動アーム、２４は電源側端子、２５，４１は駆動コイル、２５ａ，４１ａは腕部、２５ｂ，４１ｂは連結部、２６は固定接点板、２７は固定接点、２８は可動接点、２９，５４，５６は側板、３０，５５，５７はグリッド板、５２は下部分割体、５３は上部分割体、６１は磁性材製の板、Ａはアークを示す。
【図１】
0003756973.tif 000002
【図２】
0003756973.tif 000003
【図３】
0003756973.tif 000004
【図４】
0003756973.tif 000005
【図５】
0003756973.tif 000006
【図６】
0003756973.tif 000007
【図７】
0003756973.tif 000008
【図８】
0003756973.tif 000009
【図９】
0003756973.tif 000010
【図１０】
0003756973.tif 000011
【図１１】
0003756973.tif 000012
【図１２】
0003756973.tif 000013
【図１３】
0003756973.tif 000014
【図１４】
0003756973.tif 000015
【図１５】
0003756973.tif 000016
【図１６】
0003756973.tif 000017
【図１７】
0003756973.tif 000018
【図１８】
0003756973.tif 000019
【図１９】
0003756973.tif 000020
【図２０】
0003756973.tif 000021
【図２１】
0003756973.tif 000022
【図２２】
0003756973.tif 000023
【図２３】
0003756973.tif 000024
【図２４】
0003756973.tif 000025
【図２５】
0003756973.tif 000026
【図２６】
0003756973.tif 000027
【図２７】
0003756973.tif 000028
【図２８】
0003756973.tif 000029
【図２９】
0003756973.tif 000030
【図３０】
0003756973.tif 000031
【図３１】
0003756973.tif 000032
【図３２】
0003756973.tif 000033
【図３３】
0003756973.tif 000034